(57)【要約】【課題】高い信頼度でスムーズに作動し製造及び組立てが容易な閉鎖装置を提供する。【解決手段】当該閉鎖装置のハウジングの前方部分が、第１及び第２の部分の内部形状部が異なることによって規定されたロッキング段部を有し；回動部材が摺動可能に前方部分内に組み付けられ、引出しの案内ピンを受容するためのスロットを有し；弾性手段がハウジングの後方部分内に組み付けられて回動部材に連結され、使用中、回動部材がピンによって軸方向で前方部分を通るように弾性手段の作用に抗して引っ張られ、回動部材の回動が、第１の部分を通る軸方向移動の間中、回動部材の外部形状部に関する第１の部分の内部形状部によって阻止され；かつロッキング段部への到達時に回動部材が係留され、スロットに対するピンの作用によって第２の部分内で自由に回動し、ピンが回動部材から解放される。【選択図】図１
2006342661.tif 000002
【特許請求の範囲】
【請求項１】
引出し（７）のための閉鎖装置（１０）であって、当該閉鎖装置が、前方部分（８ａ）及び後方部分（８ｂ）を有する細長い中空ハウジング（８）を備えて成っており、前記前方部分が、回動阻止する第１の部分（８ｃ）及び回転許容する第２の部分（８ｄ）から成っており、前記第１及び第２の部分が異なる内部形状部を有しており；前記ハウジングが、前方部分の第１及び第２の部分の内部形状部が異なることによって画定されたロッキング段部（２２）を有しており；回動部材（１４）が摺動可能にハウジングの前方部分内に組み付けられており、前記回動部材が、前記引出しのローラ案内（２，５）の案内ピン（１６）をハウジングの軸方向スロット（１７）を通して受容するための角張ったスロット（１１）を有しており；弾性手段（９）がハウジングの後方部分内に組み付けられていて、前記回動部材に連結されており、これにより、使用中、前記回動部材が前記案内ピンによって軸方向で前記前方部分を通るように前記弾性手段の作用に抗して引っ張られようになっており、しかも、回動部材の回動が、前記第１の部分を通る軸方向運動の間中、回動部材の外部形状部（１３）に対する第１の部分の内部形状部（２３）によって阻止されており；かつ前記ロッキング段部への到達時に回動部材がこの場所に係留され、角張ったスロットに対する前記案内ピンの作用によって第２の部分内で自由に回動することができ、この結果、ピンが回動部材から解放されるようになっていることを特徴とする閉鎖装置。
【請求項２】
第１の部分（８ｃ）の内部形状部（２３）が非円筒形である、請求項１記載の閉鎖装置。
【請求項３】
第１の部分（８ｃ）の内部形状部（２３）が、当該内部形状部内で回動部材（１４）が案内されることを許容する実質的な多角形状部である、請求項１又は２記載の閉鎖装置。
【請求項４】
第１の部分（８ｃ）の内部が実質的に四角形状付与されている、請求項３記載の閉鎖装置。
【請求項５】
第２の部分（８ｄ）の内部形状部（１９）が円筒形である、請求項１から４までのいずれか１項記載の閉鎖装置。
【請求項６】
回動部材（１４）が、実質的に第１の部分（８ｃ）の内部形状部（２３）に合致する外部形状部（１３）を有している、請求項１から５までのいずれか１項記載の閉鎖装置。
【請求項７】
第１の部分（８ｃ）の内部形状部（２３）が、さらに、溝（４０）を備えて成っている、請求項１から６までのいずれか１項記載の閉鎖装置。
【請求項８】
回動部材（１４）が、さらに、第１のリップ突出部（４２）及び第２のリップ突出部（４４）を備えて成っており、しかも、第１のリップ突出部が軸方向スロット（１７）に沿って摺動可能であり、かつ第２のリップ突出部が第１の部分（８ｃ）の溝（４０）に沿って摺動可能である、請求項７記載の閉鎖装置。
【請求項９】
回動部材（１４）が複数の舌片突出部（２５）を備えており、かつ第１の部分が、前記複数の舌片突出部に対して相補形状を有する複数の内部溝（２６）を備えている、請求項１記載の閉鎖装置。
【請求項１０】
第１の部分（８ｃ）が複数の舌片突出部（２５）を備えて成っており、かつ回動部材（１４）が、前記複数の舌片突出部に対して相補形状を有する複数の内部溝（２６）を備えている、請求項１記載の閉鎖装置。
【請求項１１】
角張ったスロット（１１）が回動部材の一方の側方エッジから形成されていて、下向きに回動部材の上面の中央に向かって延在しており、これにより、案内ピン（１６）が軸方向スロット（１７）を通って前記角張ったスロットに係入されることが可能とされている、請求項１から１０までのいずれか１項記載の閉鎖装置。
【請求項１２】
後方部分（８ｂ）が前方部分（８ａ）の内端部に向かって先細りしており、しかも、ハウジング（８）の後方部分と前方部分との間に停止端部（２０）が形成されている、請求項１から１１までのいずれか１項記載の閉鎖装置。
【請求項１３】
後方部分（８ｂ）の内部が、弾性手段（９）を格納するために前方部分（８ａ）よりも広幅である、請求項１から１２までのいずれか１項記載の閉鎖装置。
【請求項１４】
回動部材（１４）が、弾性手段（９）に連結するために後端部にスリット（１８）を備えている、請求項１から１３までのいずれか１項記載の閉鎖装置。
【請求項１５】
アダプタ（２７）が回動部材（１４）と弾性手段（９）との間に設けられており、これにより、アダプタの一方の端部が回動部材のスリット（１８）内に収容され、アダプタの第２の端部が弾性手段を収容するようになっており、これにより、弾性手段を回動部材に間接的に連結することが可能とされている、請求項１４記載の閉鎖装置。
【請求項１６】
前記引出し（７）が引出し案内システムを装備しており、該引出し案内システムが上部ローラ案内（２）、底部ローラ案内（５）、及びこれらの間に配置された中間ローラ案内（３）を有している、請求項１から１５までのいずれか１項記載の閉鎖装置。
【請求項１７】
案内ピン（１６）が下向きに前記上部ローラ案内（２）に組み付けられている場合には、当該閉鎖装置が、使用中、引出し案内システムの前記底部ローラ案内（５）に組み付けられている、請求項１６記載の閉鎖装置。
【請求項１８】
案内ピン（１６）が上向きに前記底部ローラ案内（５）に組み付けられている場合には、当該閉鎖装置が、使用中、引出し案内システムの前記上部ローラ案内（２）に組み付けられている、請求項１６記載の閉鎖装置。
【発明の詳細な説明】
【技術分野】
【０００１】
本発明は、家具産業において使用するための閉鎖装置、特に引出し閉鎖装置に関する。
【背景技術】
【０００２】
閉鎖装置の無い引出しに関しては、閉鎖位置に移動させられた引出しが、十分には閉鎖されていないことが頻繁にあり、かつ引出しのフロントパネルが家具ボディから突出してしまう。この結果、人がフロントパネルにぶつかってしまうことがあり、そのような人が怪我をしてしまうこともあり得る。さらに、引出しが家具ボディ内にあまりにも強いエネルギーで押し込まれてしまった場合には、当該引出しは、多大なエネルギーのために再び前方に転がり出てしまうか又は跳ね返ってしまうことが起こり得る。
【０００３】
１つの既存の引出し閉鎖装置が特許文献１に開示されている。該既存の閉鎖装置は、細長い中空円筒ハウジングを備えて成っており、該中空円筒ハウジングは、一方の端部からボディの少なくとも一部にわたって延在する軸方向スロットと、Ｌ字形の第２の軸方向スロットとを有している。中空円筒ハウジング内には円筒部材が入れ子式に取り付けられていて、中空円筒ハウジング内で回動可能である。しかも、中空部材は、Ｌ字形の第２の軸方向スロットから延出する突出部と、弾性手段とを有しており、これらの部材は、中空ハウジングの第２の端部と円筒部材の後端部とに取り付けられている。弾性手段は円筒部材を中空ハウジングの第２の端部に向かって引っ張るようになっている。円筒部材にはその上面に、引出しローラ案内の案内ピンを受容するための角張ったスロットが配置されている。Ｌ字形の軸方向スロットの角度の付けられた部位は、円筒部材の軸方向移動をロックするためのロッキング段部を画定若しくは規定するものである。
【０００４】
引出しが開放される場合には、角張ったスロットに係入されている案内ピンは、円筒部材と付属の弾性手段とを共に、第１の軸方向スロットを通してロッキング段部に向かって引っ張る。円筒部材が第１の軸方向スロットを通るように軸方向で運動させられるので、前記突出部は同時に、第２の軸方向スロットの真っ直ぐな部位内で、角度の付けられた部位に向かって運動する。ロッキング段部に到達すると、突出部は、角度の付けられた部位内に嵌入され、これにより、円筒部材が位置固定される。次いで、円筒部材は、角度の付けられた部位内の案内ピンの作用によって回動するように推進され、その後、案内ピンが解放される。
【０００５】
前述の閉鎖装置に関しては、細長い中空ハウジングの完全性は、その側面に配置されたＬ字形の第２の軸方向スロットのせいで、妥協して処理されている。さらに、円筒部材は、Ｌ字形の第２の軸方向スロットの真っ直ぐな部位を通る突出部の作用によってのみ、回動運動を阻止されかつ／又は回動運動に抗して案内される。使用中、この最小の案内は、初期の回動移動の阻止に関しては常時有効であるとは限らない。突出部が第２の軸方向スロットの真っ直ぐな部位に係入している間の円筒部材のいかなる回動移動も、角張ったスロット内の案内ピンの位置を狂わせる傾向があり、引出し及び閉鎖装置が引っ掛かって動かなくなるような事態を招いてしまう。
【０００６】
さらに、弾性手段を円筒部材に直接的に連結することによって摩擦が生じ、この結果、円筒部材の回動運動のためにはより大きい力が加えられなければならないことが、実際に観察されている。前段落の問題が伴うこの問題によって必然的に、前記閉鎖装置の作動は、所望されるほどにはスムーズでかつ信頼度の高いものではなくなってしまう。
【０００７】
その上、前記閉鎖装置の組立ては、円筒部材の側方突出部のせいで、好ましくない程に妥協して処理されている。円筒部材は、まず、ハウジング内に挿入されなければならず、この後、側方突出部が第２の軸方向スロットを通って挿入される。Ｌ字形の第２の軸方向スロットによって、さらに、中空ハウジングの製造が妥協して処理されている。
【特許文献１】マレーシア特許出願ＰＬ２００２１８１５号明細書
【発明の開示】
【発明が解決しようとする課題】
【０００８】
したがって、本発明の課題は、先行技術の問題のうちの幾つか又は全てを緩和すること、及びより高い信頼度でスムーズに作動しかつ製造及び組立ての容易性を考慮に入れている閉鎖装置を提供することである。
【課題を解決するための手段】
【０００９】
本発明によれば、引出しのための閉鎖装置は、前方部分及び後方部分を有する細長い中空ハウジングを備えて成っており、前記前方部分が、回動阻止する第１の部分及び回転許容する第２の部分から成っており、前記第１及び第２の部分が異なる内部形状部を有しており；ロッキング段部が、前方部分の第１及び第２の部分の内部形状部が異なることによって画定されており；回動部材が摺動可能にハウジングの前方部分内に組み付けられており、かつ弾性手段がハウジングの後方部分内に組み付けられていて、前記回動部材に連結されている。回動部材は、前記引出しのローラ案内の案内ピンをハウジングの軸方向スロットを通して収容するための（斜めに）角張った（angular）スロットを有している。使用中、前記回動部材は前記案内ピンによって軸方向で前記前方部分を通るように前記弾性手段の作用に抗して引っ張られようになっており、この場合、回動部材の回動が、前記第１の部分を通る軸方向運動の間中、回動部材の外部形状部に関する第１の部分の内部形状部によって阻止されている。前記ロッキング段部への到達時に、回動部材がこの場所に係留され、角張ったスロットに対する前記案内ピンの作用によって第２の部分内で自由に回動することができ、ピンが回動部材から解放される。
【発明の効果】
【００１０】
本発明の好ましい実施形態では、当該閉鎖装置の第１の部分の内部形状は非円筒形であるか又は好ましくは実質的な多角形状部であるか又は、当該内部形状部内で回動部材が案内されることを許容する他の適当な形状部である。最も好ましくは、第１の部分の内部は実質的に四角形状付与されている。第２の部分の内部形状部は、回動部材の回動を許容するために円筒形であり、回動部材の外側寸法はこの目的のために円筒直径に対して幾分減寸されている。さらに、回動部材は、第1の部分の内部形状部に実質的に合致する外部形状部を有しているのが好ましい。
【００１１】
本発明の閉鎖装置のハウジングは側方スロットを有していないので、より強くかつより剛性である。さらに、回動部材の全ボディがハウジングの前方部分の第１の部分内で案内されている。これにより、ハウジングの前方部分内における回動部材の初期回動運動の問題が処理され、角張ったスロット内における案内ピンの位置の狂いが回避される。これらの改良はかかるものとして、スムーズに作動しかつより高い信頼性の閉鎖装置を提供するものである。
【００１２】
さらに、ハウジングに側方スロットを設けずかつ回動部材に側方突出部を設けないことによって、当該閉鎖装置の組立て及び製造が容易になる。回動部材に突出部を設けないこと及び回動部材の外部形状を第１の部分の内部形状に比較的合致させることは、回動部材がハウジングの前部を摺動して通ることによって容易に挿入されるようにすることを考慮に入れている。
【００１３】
別の実施態様では、第１の部分の内部形状は、さらに、溝を備えて成っている。回動部材は、さらに、第１及び第２のリップ突出部を備えて成っており、しかも、第１のリップ突出部は軸方向スロットに沿って摺動可能であり、かつ第２のリップ突出部は第１の部分の溝に沿って摺動可能である。
【００１４】
本発明の一実施態様では、第１の部分は複数の舌片突出部を備えており、かつ回動部材は、前記複数の舌片突出部に対して相補形状を有する複数の内部溝を備えている。
【００１５】
別の実施態様では、回動部材は複数の舌片突出部を備えており、かつ第１の部分は、前記複数の舌片突出部に対して相補形状を有する複数の内部溝を備えている。
【００１６】
本発明の別の実施態様によれば、角張ったスロットは回動部材の一方の側方エッジから形成されていて、上向きに回動部材の上面の中央に向かって延在しており、これにより、案内ピンが軸方向スロットを通って角張ったスロットに係入されることが可能とされている。
【００１７】
本発明の別の実施態様では、ハウジングの後方部分は前方部分の内端部に向かって先細りしており、しかも、ハウジングの後方部分と前方部分との間に停止端部が形成されている。さらに、後方部分の内部は、弾性手段を格納するために前方部分よりも広幅であってよい。
【００１８】
本発明のさらに別の実施態様では、回動部材は、弾性手段に連結するために後端部にスリットのような手段を備えている。アダプタが回動部材と弾性手段との間に設けられており、これにより、アダプタの一方の端部が回動部材のスリット内に収容され、アダプタの第２の端部が弾性手段を収容するようになっており、弾性手段を回動部材に間接的に連結することが考慮に入れられている。弾性手段と回動部材との間のこの間接的な連結は、直接的な連結とは対照的に摩擦の問題を緩和し、この結果、回動部材の回動運動のためには比較的に小さい力を使用するだけでよくなる。換言すれば、回動部材は少なくとも部分的に弾性手段から切り離されているので、回動部材の回動が弾性手段によって制限されてしまうことが実質的に阻止されている。このこともやはり、当該閉鎖装置の作動を増進させるであろう。
【００１９】
本発明の別の実施態様によれば、引出しが引出し案内システムを装備しており、該引出し案内システムが上部ローラ案内、底部ローラ案内、及びこれらの間に配置された中間ローラ案内を有していることが考えられる。案内ピンが下向きに前記上部ローラ案内に組み付けられている場合には、当該閉鎖装置は、使用中、引出し案内システムの前記底部ローラ案内に組み付けられている。あるいは、案内ピンが上向きに前記底部ローラ案内に組み付けられている場合には、当該閉鎖装置は、使用中、引出し案内システムの前記上部ローラ案内に組み付けられている。
【００２０】
別の実施態様では、本発明によれば、引出しのための閉鎖装置であって、当該閉鎖装置が、前方部分及び後方部分を有する細長い中空ハウジングを備えて成っており、該ハウジングが実質的に前方部分の長さにわたる軸方向スロットを有しており、前方部分の実質的な部分が案内面を備えて形成されており、別の部分が回動可能面を備えて形成されており、これら２つの面同士の接合部がロッキング段部を備えて形成されており；回動部材が案内面を備えて形成されており、該案内面が通常、回動部材が摺動可能に前方部分内に組み付けられた状態で回動を防止されるように、前方部分の案内面に合致するようになっており；回動部材が、引出しのローラ案内に組み付けられた案内ピンを受容するための角張ったスロットを有しており；かつ弾性手段が後方部分に組み付けられており、該後方部分が、ハウジングに取り付けられた一方の端部と回動部材に取り付けられた他方の端部とを備えており、引出しが引き出される際に、案内ピンが回動部材を、前方部分を通るように案内面に沿って回動可能面に向かって引っ張り、これにより、回動部材の、その中心軸線を中心とした回動が、回動可能面部分内で生ぜしめられ、かつこの結果、回動部材がロッキング段部に係留されている間、案内ピンが前記角張ったスロットから解放され、かつ引出しが閉鎖される際には、案内ピンが前記角張ったスロット内に挿入され、これにより、回動部材をその中心軸線を中心として回動させて、合致する案内及び案内面同士が位置合わせされる位置に移動させ、これにより、弾性手段が引出しを閉鎖位置に引っ張ることが可能とされている、引出しのための閉鎖装置が提供される。
【発明を実施するための最良の形態】
【００２１】
以下に、本発明の実施の形態を図面につき説明するが、本発明は図示の実施形態に限定されるものではない。
【００２２】
引出し７のための閉鎖装置１０が図１に示されている。該閉鎖装置１０は、前方部分８ａ及び後方部分８ｂを有する細長い中空ハウジング８を備えて成っており、該ハウジングは軸方向スロット１７を実質的にその長さに沿って有しており、回動部材１４がハウジングの前方部分８ａ内に摺動可能に組み付けられており、かつ弾性手段９が後方部分８ｂ内に組み付けられている。弾性手段９によって回動部材１４はハウジング８に取り付けられる。図１から理解されるように、ばねの形状の弾性手段９は、該弾性手段と共に回動部材にロックされているアダプタ２７を介して、回動部材１４に間接的に連結されている。引出し案内システムを有する引出しアセンブリにおいて、引出し７は、図２に示されているようなバックストッパ１５及びフロントクリップ６を有する上部ローラ案内２に取り付けられる。上部ローラ案内２は、さらに、上部ローラ案内２の底面から下向きに延在する案内ピン１６を備えている。バックストッパ１５は、引出し７が上部ローラ案内２から離脱することを阻止するために使用される。引出し案内システムは、さらに、底部ローラ案内５を備えて成っており、該底部ローラ案内は、ブラケット４及び中間ローラ案内３を備えたシャーシ１の側壁に組み付けられており、前記中間ローラ案内３は上部ローラ案内２と底部ローラ案内５との間に走入するようになっている。ローラハウジング（図示せず）は各ローラ案内内に配置されていて、中間ローラ案内３に沿って摺動可能である。ローラハウジングのローラは引出し７のスムーズな走行をもたらすものである。
【００２３】
閉鎖装置１０は、図２に示されているような底部ローラ案内２の後端部に取り付けられている。ハウジングの後方部分８ｂは前方部分８ａの内端部に向かって先細りしており、かつ停止端部２０がハウジング８の後方部分８ｂと前方部分８ａとの間に形成されている。後方部分８ｂの内部は、弾性手段９を収容するためにハウジングの前方部分８ａよりも広幅であるのが好ましい。前方部分８ａは、さらに、非円筒形の回動阻止内部形状部２３を有する第１の部分８ｃと、円筒形の回動許容内部形状部１９を有する第２の部分８ｄとを備えて成っている。ここには、前方部分８ａの第１の部分８ｃの内部横断面と第２の部分８ｄの内部横断面とが異なることによって画定されたロッキング段部２２が存在する。
【００２４】
回動部材１４はハウジング８の前方部分８ａ内に摺動可能に組み付けられている。本実施形態では、回動部材１４は、前記第１の部分８ｃの内部形状部２３に合致する外部形状部１３を備えて形成されている。第１の部分８ｃの内部形状部２３は、回動部材１４が図７に示されているように当該形状部内で案内されることを許容する非円筒形状部、好ましくは多角形状部である。第１の部分８ｃの内部横断面は、最も好ましくはほぼ四角形状付与されている。フラップ部１２が回動部材１４の上部前端部に形成されている。後方スリット又はソケット１８が回動部材１４の底部後端部に、アダプタ２７の一方の端部に形成されたボスを収容するために設けられている。アダプタ２７の他方の端部は弾性手段９に連結されている。該弾性手段９の他方の端部はハウジング８の後端部に取り付けられている。弾性手段９は、回動部材１４をハウジング８の前方部分８ａの停止端部２０に向かって引っ張るために使用される。角張ったスロット１１が回動部材１４の一方の側方エッジから形成されていて、図３に示されているように上向きに回動部材の上面の中央に向かって延在している。
【００２５】
組み立てられた位置で、引出し７が完全に挿入されている場合には、回動部材１４は案内ピン１６を、図３及び図４に示されているように、ハウジング８の停止端部２０に向かって引っ張り、ここで、案内ピン１６は、ハウジング８の軸方向スロット１７を通して回動部材１４の角張ったスロット１１に係合されている。引出し７がシャーシ１から引き抜かれる場合には、回動部材１４は案内ピン１６によって軸方向で前方部分８ａの第１の部分８ｃを通るように前記弾性手段９の作用に抗して引っ張られる。回動部材１４は、前記第１の部分８ｃを通る軸方向運動中、回動部材１４の外部形状部１３に対し、前記第１の部分の前記内部形状部２３によって回動を阻止されている。回動部材１４が前記ロッキング段部２２を乗り越えて通過して前方部分８ａの第２の部分８ｄ内に進入した時、回動部材１４はこの場所に係留される。この場合、回動部材１４はロッキング段部２２との少なくとも３つの接触点を有していて、角張ったスロット１１の第２の面１１″に対する前記案内ピン１６の作用によって、その軸線を中心として前記第２の部分８ｄ内で回動するよう推進される。次いで、回動部材１４の回動運動によって案内ピン１６が前記角張ったスロット１１から解放され、かつ引出し７は、図５及び図６に示されているように、シャーシ１から自由に外へ出る。角張ったスロット１１の、長手軸線に関する角度が、回動部材１４のその軸線を中心とした回動の角度を決定する。
【００２６】
引出し７が押し込まれる場合には、案内ピン１６は回動部材１４の前端部から前記角張ったスロット１１に係入され、該角張ったスロット１１の第１の面１１′に作用する。案内ピン１６がさらに第１の面１１′に当接するように移動する際に、回動部材１４はその軸線を中心として前記第２の部分８ｄ内で回動させられる。この後、回動部材１４はロッキング段部２２からロック解除される。回動部材１４の位置が、前記第１の部分８ｃの前記内部形状部２３が回動部材１４の外部形状部１３に嵌合するような位置である場合には、回動部材１４は、その後弾性手段９によって停止端部２０に対して軸方向で引っ張られる。
【００２７】
前方部分８ａの第１の部分８ｃの内部形状部２３は、さらに、円形内部形状部を有していてよく、該円形内部形状部は少なくとも１つの舌片突出部２５を有しており、該舌片突出部は、図８に示されているように、回動部材１４の外部形状部１３に形成されていて当該舌片突出部に対して相補形状を有する少なくとも１つの細長い溝２６に嵌合するためのものである。あるいは、回動部材１４が複数の舌片突出部２５を備えており、かつ第１の部分８ｃが、前記複数の舌片突出部に対して相補形状を有する複数の内部溝を備えている。
【００２８】
引出し閉鎖装置１０は、さらに、引出し７の前端部側面に組み付けられていてよく、又は、図９に示されているように、底部ローラ案内５から上向きに延在する案内ピン１６を摺動可能に受容するための下向きの軸方向スロット１７を有する引出しの上部ローラ案内２に組み付けられていてよい。
【００２９】
本発明の別の実施形態では、第１の部分８ｃの内部形状部２３は、さらに、図１０に示されているように、前方部分８ａの軸方向スロット１７とは反対の側に位置する溝４０を備えて成っている。本実施形態の回動部材１４は、前方部分８ａの軸方向スロット１７に沿って摺動可能である第１のリップ突出部４２を備えて形成されている。第２のリップ突出部４４は、第１の部分８ｃの溝４０に沿って摺動可能である回動部材１４に形成されている。前方部分８ｄの第１の部分８ｃ及び第２の部分８ｄの内部横断面が異なることによって、回動部材１４を定位置に保持するロッキング段部２２が画定される。本実施形態の回動部材１４の角張ったスロット１１は、図１１に示されているように、一方の側方エッジから形成されていて、回動部材１４の第１のリップ突出部４２における上面に向かって上向きに延在する。
【００３０】
作動中、図１３に示されているように引出し７が引き出される場合には、回動部材１４は案内ピン１６によって軸方向で前方部分８ａの第１の部分８ｃを通るように前記弾性手段９の作用に抗して引っ張られる。回動部材１４は、図１２に示されているように、第１の部分８ｃを通る軸方向運動中、第１のリップ突出部４２及び第２のリップ突出部４４を備えた回動部材１４の外部形状部１３に対して第１の部分８ｃの溝４０及び内部形状部２３によって回動を阻止されている。回動部材１４が前方部分８ａの第２の部分８ｄに到達した時、当該回動部材１４は前記角張ったスロット１１の第２の面１１″に対する案内ピン１６の作用によって回動するよう推進され、かつ第１のリップ突出部４２及び第２のリップ突出部４４の端部がロッキング段部２２にロックされる。案内ピン１６は、回動運動のために前記角張ったスロット１１から解放され、かつ引出し７は、図１４から理解されるようにシャーシ１から外へ出る。先述の実施形態の場合のように、角張ったスロット１１の角度が、回動部材１４のその軸線を中心とした回動の角度を決定する。
【００３１】
引出し７を閉鎖する間中、案内ピン１６は前記角張ったスロット１１内に挿入されていて、回動部材１４の回動を推進する。回動部材１４の回動移動によって案内ピンはロッキング段部２２から解放され、かつ第２のリップ突出部４４が第１の部分８ｃの溝４０に位置合わせされる。その後、回動部材１４は弾性手段９によって軸方向で溝４０に沿って停止端部２０に向かって引っ張られ、これにより、引出し７が閉鎖される。
【００３２】
当業者にとって既に明白であるように、本発明は、その範囲又は本質的な特徴から逸脱することなく他の特定の形状で容易に製造されていてよい。したがって、本発明は単に例示的なものとみなされるべきであって制限的なものとみなされるべきではなく、発明の範囲は、前述の説明よりもむしろ特許請求の範囲によって示されており、したがって、意図された範囲内で生じるあらゆる変形が、本発明の範囲内に包含されている。
【図面の簡単な説明】
【００３３】
【図１】本発明の好ましい実施形態の閉鎖装置の一部を示す分解図である。
【図２】底部ローラ案内に取り付けられた好ましい実施形態の閉鎖装置と共に引出し組立て部材を示す部分斜視図である。
【図３】回動部材に係合された案内ピンを備えた好ましい実施形態の閉鎖装置を示す側面図である。
【図４】引出しが完全に挿入されている状態で係合している案内ピンと共に回動部材をその初期位置に備えた好ましい実施形態の閉鎖装置を示す斜視図である。
【図５】軸線を中心として回動する回動部材と該回動部材から解放される案内ピンとを備えた好ましい実施形態の閉鎖装置を示す側面図である。
【図６】案内ピンを解放するための位置へ軸線を中心として回動する回動部材を備えた好ましい実施形態の閉鎖装置を示す斜視図である。
【図７】案内面及び回動部材のための四角形状部を有する好ましい実施形態の閉鎖装置を示す横断面図である。
【図８】ハウジングの前方部分に設けられた細長い案内を収容するための細長い溝を備えた円形状部を有する別の実施形態の回動部材を示す横断面図である。
【図９】底部ローラ案内から上向きに組み付けられた案内ピンを備えた引出し側面に組付けられた好ましい実施形態の閉鎖装置を示す斜視図である。
【図１０】溝及びリップ突出部によって案内される回動部材を備えた別の実施形態の閉鎖装置を示す斜視図である。
【図１１】案内面に溝を有しかつ回動部材にリップ突出部を有する別の実施形態の閉鎖装置の回動前の状態を示す横断面図である。
【図１２】リップ突出部がロッキング段部にロックされている状態の別の実施形態の閉鎖装置を示す横断面図である。
【図１３】引出しが引き出される際に溝及びリップ突出部によって案内される回動部材を備えた別の実施形態の閉鎖装置を示す斜視図である。
【図１４】案内ピンを解放するための位置へ軸線を中心として回動するリップ突出部を有する回動部材を備えた別の実施形態の閉鎖装置を示す斜視図である。
【符号の説明】
【００３４】
２  上部ローラ案内
３  中間ローラ案内
４  ブラケット
５  底部ローラ案内
６  フロントクリップ
７  引出し
１０  閉鎖装置
８  中空ハウジング
８ａ  前方部分
８ｂ  後方部分
８ｃ  第１の部分
８ｄ  第２の部分
９  弾性手段
１１  角張ったスロット
１１′  第１の面
１１″  第２の面
１２  フラップ部
１３  外部形状部
１４  回動部材
１５  バックストッパ
１６  案内ピン
１７  軸方向スロット
１８  後方スリット又はソケット
１９  回動許容内部形状部
２０  停止端部
２２  ロッキング段部
２３  回動阻止内部形状部
２５  舌片突出部
２６  内部溝
２７  アダプタ
４０  溝
４２  第１のリップ突出部
４４  第２のリップ突出部
【図１】
2006342661.tif 000003
【図２】
2006342661.tif 000004
【図３】
2006342661.tif 000005
【図４】
2006342661.tif 000006
【図５】
2006342661.tif 000007
【図６】
2006342661.tif 000008
【図７】
2006342661.tif 000009
【図８】
2006342661.tif 000010
【図９】
2006342661.tif 000011
【図１０】
2006342661.tif 000012
【図１１】
2006342661.tif 000013
【図１２】
2006342661.tif 000014
【図１３】
2006342661.tif 000015
【図１４】
2006342661.tif 000016